(57)【要約】【課題】リピート動作で印刷した後の記録紙束の裁断などユーザーに手間をかけず、その後作業の効率化および余分な記録紙の消費を回避する。【解決手段】枚数設定手段と、原稿載置方向・原稿サイズを検知する原稿情報検知手段と、原稿枚数を検知する原稿枚数検知手段と、複数の給紙段を有する給紙部１０４と、画像情報を読み取る画像読取手段と、画像情報に各種画像処理を施す画像処理手段と、画像処理後の画像情報を入力し、枚数設定手段によって設定された印刷枚数を記録紙に画像を形成する作像部１１０と、あらかじめ設定されるリピート画像の縮小サイズを保持するリピートサイズ記録手段（不揮発メモリ１０７）と、を有し、リピート印刷において、原稿枚数検知手段によって、原稿が複数あると検知した場合、１枚の記録紙へリピートサイクル数に応じて画像を配置するリピート処理部１０６を備える。【選択図】図１
2011029811.tif 000002
【特許請求の範囲】
【請求項１】
少なくとも、印刷枚数を設定する枚数設定手段と、原稿載置方向および原稿サイズを検知するための原稿情報検知手段と、原稿枚数を検知する原稿枚数検知手段と、記録紙を給紙する複数の給紙段を有する給紙手段と、原稿から画像情報を読み取る画像読取手段と、前記画像読取手段で読み取った画像情報に各種画像処理を施す画像処理手段と、前記画像処理手段から画像処理後の画像情報を入力し、前記枚数設定手段によって設定された印刷枚数を記録紙に画像を形成する作像手段と、あらかじめ設定されるリピート画像の縮小サイズを保持するリピートサイズ記録手段と、を有し、
リピート印刷において、前記原稿枚数検知手段によって、原稿が複数あると検知した場合、１枚の記録紙へリピートサイクル数に応じて画像を配置するリピート処理手段を備えることを特徴とするイメージリピート画像形成装置。
【請求項２】
前記リピート処理手段は、リピートサイクル数と、たて方向、横方向、原稿の並び順を設定し、設定されたモードに応じて画像を配置することを特徴とする請求項１に記載のイメージリピート画像形成装置。
【請求項３】
前記リピート処理手段は、ノンソート印刷かソート印刷かを設定できる設定手段を有し、ノンソート印刷が設定されている場合は、リピートサイクル数を１として画像を配置することを特徴とする請求項１、２または３に記載のイメージリピート画像形成装置。
【請求項４】
前記リピート処理手段は、リピートサイズと記録紙から、最大画像配置数を求め、リピートサイクル数から求められる記録紙に配置可能な配置数が最大画像配置数より小さい場合は、加算する印刷枚数を最大画像配置数×設定印刷枚数÷リピートサイクル数から求められる記録紙に配置可能な配置数−設定印刷枚数とすることを特徴とする請求項２に記載のイメージリピート画像形成装置。
【請求項５】
さらに、加算する印刷枚数が１以上のときは、ユーザーから加算印刷するか加算印刷しないかの選択を受け付ける選択手段を有し、選択に応じた枚数で印刷することを特徴とする請求項４に記載のイメージリピート画像形成装置。
【請求項６】
さらに、
原稿ごとのリピート画像を保持する保持手段と、
印刷されるリピート画像に連番を付加する画像編集手段と、
印刷が終了したときに付加した最終番号を記録する最終番号保持手段と、
前記保持手段に保持されているリピート画像を選択して、前記最終番号保持手段に保持されている最終番号の次の番号から連番を付加してリピート画像を生成する画像編集手段と、
を備えることを特徴とする請求項１に記載のイメージリピート画像形成装置。
【請求項７】
前記画像編集手段は、１ページの中で一番大きい番号を余白部に画像を生成することを特徴とする請求項６に記載のイメージリピート画像形成装置。
【請求項８】
少なくとも、印刷枚数を設定する枚数設定手段と、原稿載置方向および原稿サイズを検知するための原稿情報検知手段と、原稿枚数を検知する原稿枚数検知手段と、記録紙を給紙する複数の給紙段を有する給紙手段と、原稿から画像情報を読み取る画像読取手段と、前記画像読取手段で読み取った画像情報に各種画像処理を施す画像処理手段と、前記画像処理手段から画像処理後の画像情報を入力し、前記枚数設定手段によって設定された印刷枚数を記録紙に画像を形成する作像手段と、あらかじめ設定されるリピート画像の縮小サイズを保持するリピートサイズ記録手段と、を有するイメージリピート画像形成方法であって、
リピート印刷において、前記原稿枚数検知手段によって、原稿が複数あると検知した場合、１枚の記録紙へリピートサイクル数に応じて画像を配置することを特徴とするイメージリピート画像形成方法。
【発明の詳細な説明】
【技術分野】
【０００１】
本発明は、イメージリピート画像形成装置およびイメージリピート画像形成方法に関するものである。
【背景技術】
【０００２】
従来、デジタル複写機などの画像形成装置において、画像の一部あるいは全体を一枚の記録紙上に印刷する、いわゆるイメージリピート機能が設けられている。イメージリピート処理時に、画像の回転有無にかかわらずジョブ終了までにかかる時間が短くなるように記録紙を選択するデジタル複写機が開示されている（たとえば、特許文献１参照）。また、イメージリピート処理時に、複数形成される画像の間に余白を付加する機能を設けて、裁断代に余裕を持たせる技術が開示されている（たとえば、特許文献２参照）。また、不定形サイズの原稿を等倍でリピートコピーする際に、所定の用紙に対して最大のリピート面数を確保する方法が開示されている（たとえば、特許文献３参照）。
【発明の概要】
【発明が解決しようとする課題】
【０００３】
イメージリピートコピーの使われ方としては、たとえば、商店主などが、お客に対して宣伝として配布する小サイズのチラシやポイント券を簡単に作成することが想定される。その場合、複数原稿をそれぞれリピートコピーして、１セットとして配布したり、たとえば２枚の原稿単位でリピートコピーして、折込型でチラシを作成したりすることもある。しかしながら、従来の技術にあっては、１枚の原稿に対するイメージリピートであるため、そのような複数原稿でのリピートコピーを行う場合、一度、複数原稿を集約コピーして、その印刷記録紙を一枚の原稿としてリピートコピーを行う必要があった。このためユーザーにとって後作業の効率が悪いものとなっていた。また、複数の原稿をリピートコピーし記録紙を裁断して束として配布する場合、従来の方法では、１枚ごとに必要枚数印刷し、それらをソーティングして裁断しなければならないため、手間がかかる。すなわち、ソーティングする手間がかかるという問題点があった。また、リピートの方法と裁断方法によっては、余白が余分にできることがある。その場合、記録紙の枚数を多く要してしまい、コストがかさむことがあった。
【０００４】
本発明は、上記に鑑みてなされたものであって、リピート動作で印刷した後の記録紙束の裁断などユーザーに手間をかけず、その後作業の効率化および余分な記録紙の消費を回避することを目的とする。
【課題を解決するための手段】
【０００５】
上述した課題を解決し、目的を達成するために、本発明は、少なくとも、印刷枚数を設定する枚数設定手段と、原稿載置方向および原稿サイズを検知するための原稿情報検知手段と、原稿枚数を検知する原稿枚数検知手段と、記録紙を給紙する複数の給紙段を有する給紙手段と、原稿から画像情報を読み取る画像読取手段と、前記画像読取手段で読み取った画像情報に各種画像処理を施す画像処理手段と、前記画像処理手段から画像処理後の画像情報を入力し、前記枚数設定手段によって設定された印刷枚数を記録紙に画像を形成する作像手段と、あらかじめ設定されるリピート画像の縮小サイズを保持するリピートサイズ記録手段と、を有し、リピート印刷において、前記原稿枚数検知手段によって、原稿が複数あると検知した場合、１枚の記録紙へリピートサイクル数に応じて画像を配置するリピート処理手段を備えることを特徴とする。
【発明の効果】
【０００６】
本発明は、リピート印刷において、原稿枚数検知手段によって、原稿が複数あると検知した場合、１枚の記録紙へリピートサイクル数に応じて画像を配置するため、リピート動作で印刷した後作業において、ユーザーの裁断に合わせて最適な配置を行うことで、その後作業の効率化および余分な記録紙の消費を回避することができるという効果を奏する。
【図面の簡単な説明】
【０００７】
【図１】図１は、この実施の形態にかかる画像形成装置してのデジタル複写機の構成を示すブロック図である。
【図２】図２は、図１の画像形成装置の構成例を示す説明図である。
【図３】図３は、この実施の形態にかかるリピートコピーの概略動作を示すフローチャートである。
【図４】図４は、リピート動作例１にかかるリピートコピーの裁断する単位を設定する例を示す説明図である。
【図５−１】図５−１は、リピート動作例１にかかるソートモードの印刷例を示す説明図である。
【図５−２】図５−２は、リピート動作例１にかかるノンソートモードの印刷例を示す説明図である。
【図６−１】図６−１は、リピート動作例１にかかるノンソートモードの他の印刷例を示す説明図である。
【図６−２】図６−２は、リピート動作例１にかかるノンソートモードの他の印刷例を示す説明図である。
【図７】図７は、リピート動作例２における余白発生例を示す説明図である。
【図８−１】図８−１は、リピート動作例３にかかるソートモードの印刷例を示す説明図である。
【図８−２】図８−２は、リピート動作例３にかかるノンソートモードの印刷例を示す説明図である。
【図９】図９は、かかる複合機（画像形成装置）のハードウェア構成を示すブロック図である。
【発明を実施するための形態】
【０００８】
以下に添付図面を参照して、この発明にかかるイメージリピート画像形成装置およびイメージリピート画像形成方法の一実施の形態を詳細に説明する。
【０００９】
（実施の形態）
図１および図２を参照して各実施例で共通する画像形成装置としてのデジタル複写機の構成について説明する。図１は、この実施の形態にかかる画像形成装置してのデジタル複写機の構成を示すブロック図である。この画像形成装置は、印刷制御部１００、操作表示部１０１、原稿サイズ検知センサ１０２、スキャナー１０３、給紙部１０４、画像処理部１０５、リピート処理部１０６、不揮発メモリ１０７、画像メモリ１０８、ＨＤＤ（ハードディスクドライブ）１０９、作像部１１０を備える。
【００１０】
印刷制御部１００は操作表示部１０１で設定された印刷モードを制御する。操作表示部１０１はリピート縮小サイズの登録、印刷枚数の設定、リピートサイクル設定等の各種キー入力および各種メッセージの表示を行う。原稿サイズ検知センサ１０２は原稿の載置方向および原稿サイズを検知する。スキャナー１０３は原稿から画像情報を読み取る。給紙部１０４は記録紙を給紙する複数の給紙段を有する。画像処理部１０５はスキャナー１０３で読み取った画像情報に各種画像処理を施す。リピート処理部１０６はリピート画像の記録紙への配置を制御する。不揮発メモリ１０７はリピート画像サイズを記録する。画像メモリ１０８は一時的に画像情報が記憶可能なメモリである、ＨＤＤ１０９は縮小されたリピート画像および画像ごとの複写リピート完了枚数情報を不揮発的に保持する。作像部１１０は画像処理部１０５から画像処理後の画像情報を入力し、給紙部１０４から給紙された記録紙に画像を形成する。
【００１１】
なお、画像処理部１０５は、リピート処理部１０６にて指示された配置方法にしたがって、画像メモリ１０８を用いてリピート画像を生成する画像情報配置手段としての役割も担っている。
【００１２】
図２は、図１の画像形成装置の構成例を示す説明図である。この図において、読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５および第３ミラー５６は図示しない第１キャリッジ上に固定されている。原稿像を読み取るときには、光路長が変わらないように、第１キャリッジ第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。書き込みユニット５７はレーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。書き込みユニット５７から出力されるレーザ光が、画像作像系の感光体ドラム１５に照射される。図示しないが感光体ドラム１５の一端近傍のレーザビームを照射される位置に、主走査同期信号を発生するビームセンサが配置されている。 
【００１３】
自動原稿送り装置（以下、ＡＤＦと記述する）１にある原稿台２に原稿の画像面を上にして置かれた原稿束は、操作表示部１０１上のプリントキー（不図示）が押下されると、一番下の原稿から給送ローラ３、給送ベルト４によってコンタクトガラス６上の所定の位置に給送される。一枚の原稿を給送完了により原稿枚数をカウントアップするカウント機能を有している。給送された原稿は読み取りユニット５０によってコンタクトガラス６上の原稿の画像データを読み取り後、読み取りが終了した原稿は、給送ベルト４および排送ローラ５によって排出される。さらに、原稿セット検知７にて原稿台２につぎの原稿が有ることを検知した場合、前原稿と同様にコンタクトガラス６上に給送される。給送ローラ３、給送ベルト４、排送ローラ５は搬送モータ２６によって駆動される。第１トレイ８、第２トレイ９、第３トレイ１０に積載された記録紙は、それぞれ第１給紙装置１１、第２給紙装置１２、第３給紙装置１３によって給紙され、縦搬送ユニット１４によって感光体ドラム１５に当接する位置まで搬送される。読み取りユニット５０にて読み込まれた画像データは、書き込みユニット５７からのレーザによって感光体ドラム１５に書き込まれ、現像ユニット２７を通過することによってトナー像が形成される。そして、記録紙は感光体ドラム１５の回転と等速で搬送ベルト１６によって搬送されながら、感光体ドラム１５上のトナー像が転写される。その後、定着ユニット１７にて画像を定着させ、排紙ユニット１８によって後処理装置のフィニシャ７０に排出される。 
【００１４】
後処理装置のフィニシャ７０は、本体の排紙ローラ１９によって搬送された記録紙を、通常、排紙ローラ７２への方向と、ステープル処理部への方向へ導くことができる。切り替え板７１を上に切り替えることにより、搬送ローラ７３を経由して通常排紙トレイ７４側に排紙することができる。また、切り替え板７１を下方向に切り替えることで、搬送ローラ７５、７７を経由して、ステープル台７８に搬送することができる。ステープル台７８に積載された記録紙は、一枚排紙されるごとに紙揃え用のジョガー７９によって、紙端面が揃えられ、一部のコピー完了と共にステープラ７６によって綴じられる。ステープラ７６で綴じられた記録紙群は自重によって、ステープル完了排紙トレイ８０に収納される。一方、通常の排紙トレイ７４は前後に移動可能な排紙トレイである。前後に移動可能な排紙トレイ７４は、原稿毎、あるいは画像メモリによってソーティングされたコピー部毎に、前後に移動し、簡易的に排出されてくるコピー紙を仕分けるものである。 
【００１５】
記録紙の両面に画像を作像する場合は、各給紙トレイ８〜１０から給紙され作像された用紙を排紙トレイ側に導かないで、両面入紙搬送路９３に搬送し、反転ユニット９２でスイッチバック反転し両面搬送ユニット９１に送る。両面搬送ユニットに送られた用紙は再度、縦搬送ユニット１４に送られて裏面に画像を印刷された後に排紙される。また、用紙を反転して排出する場合は上記反転ユニット９２でスイッチバック反転した用紙を両面ユニットに送らずに反転排紙搬送路９４に送り出して排紙する。
【００１６】
このように記録紙の両面に画像を作成する場合に両面給紙ユニット９１は使用される。また、画像の載った記録紙の裏面に印字を行う際にも両面給紙ユニット９１を用いて記録紙の裏表を変える。感光体ドラム１５、搬送ベルト１６、定着ユニット１７、排紙ユニット１８、現像ユニット２７はメインモータによって駆動され、各給紙装置１１〜１３はメインモータ２５の駆動を各々給紙クラッチによって伝達駆動される。縦搬送ユニット１４はメインモータの駆動を中間クラッチによって伝達駆動される。
【００１７】
つぎに、リピート動作の概略について説明する。図３は、この実施の形態にかかるリピートコピーの概略動作を示すフローチャートである。この動作は、図１のように構成された各機能ブロックによって実行される。まず、操作表示部１０１からのリピートモードの入力を待つ（ステップＳ１１）。リピートモードが指示されると、その設定内容を確認する（ステップＳ１２）。確認する内容としては、たとえば、縮小サイズ、リピートサイクル数、ソート／ノンソート、印刷枚数である。ステップＳ１２においてリピートモードを実行するに必要な設定を確認した後、その設定にしたがってリピートモードの印刷を開始する（ステップＳ１３）。ついで、原稿情報など（記録紙サイズ、原稿サイズ、原稿の向き、原稿枚数など）を取得し（ステップＳ１４）、画像配置方法を指示する（ステップＳ１５）。続いて、変倍処理を行って、これを記憶し（ステップＳ１６）。画像処理部１０５によって所定の画像処理を行い（ステップＳ１７）、画像処理部１０５からの画像データにしたがって印刷を実行する（ステップＳ１８）。
【００１８】
リピート画像の縮小サイズは、あらかじめ操作表示部１０１から設定され、不揮発メモリ１０７に登録されている。たとえば、ユーザーが“ティッシュサイズ”という登録名で縦と横の長さを設定すると、不揮発メモリ１０７にその情報が登録される。このリピートモードの具体例を下記で説明する。
【００１９】
（リピート動作例１）
ここでは、Ａ４縦の原稿６枚をリピートコピーする場合を例にとって説明する。操作表示部１０１にて、印刷する記録紙、リピートサイクル数がユーザーにて設定される。リピートサイクル数は、図４に示すように、裁断する単位を設定する。点線で示す部分が裁断をする単位であるとした場合、リピートサイクル数の縦は３、横は１、原稿の並び順は矢印点線で示すものとなる。ユーザーはこれを操作表示部１０１から設定する。また、あらかじめ、不揮発メモリ１０７に登録されているリピート画像サイズを選択し、その他に印刷枚数、ソート／ノンソートモードの選択等が行われ、リピートコピーの開始キーを押下することで、印刷動作が開始される。
【００２０】
印刷が開始されると、原稿サイズ検知センサ１０２によって原稿の向きと原稿サイズおよび原稿枚数が検知される。印刷制御部１００は、リピートコピーであると認識したら、リピート処理部１０６にリピートサイクル数の情報、原稿サイズ、原稿の向き、原稿枚数および印刷する記録紙サイズを通知し、印刷する記録紙への画像の配置方法を指示する。また、同時に印刷制御部１００は、スキャナー１０３から読み取った画像データをリピート画像サイズに変倍して、画像処理部１０５へ送り、画像メモリ１０８へ一旦記録する。一連の動作を原稿ごとに行う。
【００２１】
リピート処理部１０６は、リピートサイクル数、ソート／ノンソートによって、図５−１、図５−２に示すように印刷する記録紙上のリピート画像の配置を決定し、画像処理部１０５へ配置を指示する。画像処理部１０５は、画像メモリ１０８に保持されている画像データを指示されたとおりに並べ、作像タイミングに合わせて画像データを作像部１１０へと転送し、印刷を行う。
【００２２】
本例では、ソートモード、ノンソートモードで配置を切り替えているが、これに限らず、裁断後の束の取り扱い方法を決めるためのモードを設け、それに応じて配置を決定してもよい。また、他に図６−１、図６−２に示すような配置にしてもよい。これは、ユーザーがリピートサイクル数を縦、横ともに１に設定したい場合、それらを１に設定する手間を省くために、ノンソートモードに設定するだけで、設定が可能となる。
【００２３】
なお、画像メモリ１０８に記録されている画像データを記録紙に作像するためのデータへの変換、および、複数の画像データを１ページ上に並び替える処理は、一般的に用いられている公知の技術を用いることで実現する。
【００２４】
（リピート動作例２）
たとえば、リピートサイクル数と印刷する記録紙サイズによっては、記録紙枚数が増大することもある。以下その例について説明する。裁断後のリピート画像枚数を２０枚、Ａ４縦、原稿４枚、リピートサイクル数の縦が２、横が２で、縮小画像サイズが記録紙に１０画面が画像入るサイズであるとする。
【００２５】
この場合、記録紙に配置する画像の面数は８面となり、図７に示すような配置で、リピートサイクル数、つまり裁断する位置によって、余白面が発生してしまう。つまり、リピートサイクル数が縦、横ともに１であるならば、原稿４枚×２０÷１０＝８枚の記録紙に対してリピート印刷可能であるところが、本条件においては、記録紙枚数が、原稿４枚×２０÷８＝１０枚となり、２枚余計に記録紙を消費してしまう。もし、リピート画像の枚数が大量の場合、ユーザーのコスト増加につながる。
【００２６】
そこで、リピート処理部１０６は、操作表示部１０１において、リピートサイクル数によって、記録紙の消費量が増える場合には、印刷を中断する。リピート処理部１０６は、印刷制御部１００から通知された条件をもとに、使用する記録紙が増えるかどうかを計算し、増分量を操作表示部１０１に通知する。操作表示部１０１は、そのまま印刷を続行するか、否かをユーザーに選択させる。続行の場合は、印刷制御部１００から再度リピート処理部１０６へ指示がなされ印刷処理が実行される。
【００２７】
（リピート動作例３）
また、裁断後のリピート画像枚数を２０枚、Ａ４Ｔ、原稿４枚、リピートサイクル数の縦が２、横が１で、縮小画像サイズが印刷記録紙に１０画像入るサイズであるとする。
【００２８】
リピート処理部１０６は、上記条件の場合、ソート／ノンソートの条件に応じて、図８−１、図８−２に示すような配置で印刷を行う。ソートの場合（図８−１参照）は、印刷された記録紙を束で裁断したときに、その束にすべての原稿のリピートされた記録紙がセットとなるため、ユーザーは配布がしやすい。また、ノンソート（図８−２参照）の場合は、印刷された記録紙を束で裁断したときに、同一リピートの記録紙が束となるため、複数のユーザーにて流れ作業的にその印刷記録紙に加工を施すのに適している。
【００２９】
ところで、上述したリピートコピーにおいて、各リピート画像に連番を付加して印刷することで、たとえば、ポイント券などが不正にコピーされることを防ぐことができる。また、再度リピートコピーを行う場合、原稿が紛失しても、ＨＤＤ１０９などに保持している情報から再印刷を行い、かつ、番号も続きから付加できる。また再リピートコピーを行う場合、何番まで印刷したかを紙として記録を残しておくことがある。そのとき、記録紙の余白部分を利用して、印刷することで、余分な印刷を抑えることができる。また、たとえば、ユーザーの住所やユーザー名を変更するが、それ以外のところは、既存の原稿のまま印刷したい場合がある。本発明では、原稿を作り直すことなく、変更部分のみを作るだけであるため、利便性がよくなる。
【００３０】
図９は、かかる複合機（画像形成装置）のハードウェア構成を示すブロック図である。この図に示すように、この複合機は、コントローラ１１１０とエンジン部（Ｅｎｇｉｎｅ）１１６０とＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ１１１０は、複合機全体の制御と描画、通信、ＯＰ（Ｏｐｅｒａｔｉｏｎ  Ｐａｎｅｌ）１１７０からの入力を制御するコントローラである。エンジン部１１６０は、ＰＣＩバスに接続可能なプリンタエンジンなどであり、たとえば白黒プロッタ、１ドラムカラープロッタ、４ドラムカラープリンタ、スキャナーまたはファックスユニットなどである。なお、このエンジン部１１６０には、プロッタなどのいわゆるエンジン部分に加えて、誤差拡散やガンマ変換などの画像処理部分が含まれる。 
【００３１】
コントローラ１１１０は、ＣＰＵ１１１１と、ノースブリッジ（ＮＢ）１１１３と、システムメモリ（ＭＥＭ−Ｐ）１１１２と、サウスブリッジ（ＳＢ）１１１４と、ローカルメモリ（ＭＥＭ−Ｃ）１１１７と、ＡＳＩＣ（Ａｐｐｌｉｃａｔｉｏｎ  Ｓｐｅｃｉｆｉｃ  Ｉｎｔｅｒｇｒａｔｅｄ  Ｃｉｒｃｕｉｔ）１１１６と、ハードディスクドライブ（ＨＤＤ）１１１８とを有し、ノースブリッジ（ＮＢ））１１１３とＡＳＩＣ１１１６との間をＡＧＰ（Ａｃｃｅｌｅｒａｔｅｄ  Ｇｒａｐｈｉｃｓ  Ｐｏｒｔ）バス１１１５とで接続した構成となる。また、ＭＥＭ−Ｐ１１１２は、ＲＯＭ（Ｒｅａｄ  Ｏｎｌｙ  Ｍｅｍｏｒｙ）１１１２ａと、ＲＡＭ（Ｒａｎｄｏｍ  Ａｃｃｅｓｓ  Ｍｅｍｏｒｙ）１１１２ｂとをさらに有する。 
【００３２】
ＣＰＵ１１１１は、複合機の全体制御をおこなうものである。ＮＢ１１１３、ＭＥＭ−Ｐ１１１２およびＳＢ１１１４からなるチップセットを有し、このチップセットを介して他の機器と接続される。 
【００３３】
ＮＢ１１１３は、ＣＰＵ１１１１とＭＥＭ−Ｐ１１１２、ＳＢ１１１４、ＡＧＰバス１１１５とを接続するためのブリッジであり、ＭＥＭ−Ｐ１１１２に対する読み書きなどを制御するメモリコントローラと、ＰＣＩマスタおよびＡＧＰターゲットとを有する。 
【００３４】
ＭＥＭ−Ｐ１１１２は、プログラムやデータの格納用メモリ、プログラムやデータの展開用メモリ、プリンタの描画用メモリなどとして用いるシステムメモリである、ＲＯＭ１１１２ａとＲＡＭ１１１２ｂとからなる。ＲＯＭ１１１２ａは、プログラムやデータの格納用メモリとして用いる読み出し専用のメモリであり、ＲＡＭ１１１２ｂは、プログラムやデータの展開用メモリ、プリンタの描画用メモリなどとして用いる書き込みおよび読み出し可能なメモリである。 
【００３５】
ＳＢ１１１４は、ＮＢ１１１３とＰＣＩデバイス、周辺デバイスとを接続するためのブリッジである。このＳＢ１１１４は、ＰＣＩバスを介してＮＢ１１１３と接続されており、このＰＣＩバスには、ネットワークインターフェース（Ｉ／Ｆ）部なども接続される。      
【００３６】
ＡＳＩＣ１１１６は、画像処理用のハードウェア要素を有する画像処理用途向けのＩＣ（Ｉｎｔｅｇｒａｔｅｄ  Ｃｉｒｃｕｉｔ）であり、ＡＧＰバス１１１５、ＰＣＩバス、ＨＤＤ１１１８およびＭＥＭ−Ｃ１１１７をそれぞれ接続するブリッジの役割を有する。このＡＳＩＣ１１１６は、ＰＣＩターゲットおよびＡＧＰマスタと、ＡＳＩＣ１１１６の中核をなすアービタ（ＡＲＢ）と、ＭＥＭ−Ｃ１１１７を制御するメモリコントローラと、ハードウェアロジックなどにより画像データの回転などを行う複数のＤＭＡＣ（Ｄｉｒｅｃｔ  Ｍｅｍｏｒｙ  Ｃｏｎｔｒｏｌｌｅｒ）と、エンジン部１１６０との間でＰＣＩバスを介したデータ転送を行うＰＣＩユニットからなる。このＡＳＩＣ１１１６には、ＰＣＩバスを介してＦＣＵ（Ｆａｘ  Ｃｏｎｔｒｏｌ  Ｕｎｉｔ）１１３０、ＵＳＢ（Ｕｎｉｖｅｒｓａｌ  Ｓｅｒｉａｌ  Ｂｕｓ）１１４０、ＩＥＥＥ１３９４（ｔｈｅ  Ｉｎｓｔｉｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース１１５０が接続される。 
【００３７】
ＭＥＭ−Ｃ１１１７は、コピー用画像バッファ、符号バッファとして用いるローカルメモリであり、ＨＤＤ（Ｈａｒｄ  Ｄｉｓｋ  Ｄｒｉｖｅ）１１１８は、画像データの蓄積、プログラムの蓄積、フォントデータの蓄積、フォームの蓄積を行うためのストレージである。
【００３８】
ＡＧＰバス１１１５は、グラフィックス処理を高速化するために提案されたグラフィックスアクセレーターカード用のバスインターフェースであり、ＭＥＭ−Ｐ１１１２に高スループットで直接アクセスすることにより、グラフィックスアクセレーターカードを高速にするものである。 
【００３９】
上述した実施の形態によれば、リピート動作で印刷した後作業において、ユーザーの裁断に合わせて最適な配置を行うことで操作の手間、工程の手間を省くことができる。また、リピートの方法と裁断方法によっては、余白が余分にできることがある。その場合、印刷枚数を多く要してしまい、コストがかさむことがある。ユーザーに印刷枚数がかさむことを通知し、ユーザーに選択させることでコストを優先して、ユーザーの希望どおりの印刷を行うことができる。
【産業上の利用可能性】
【００４０】
以上のように、本発明にかかるイメージリピート画像形成装置およびイメージリピート画像形成方法は、デジタル複写機やプリンタなどの画像形成装置に有用であり、特に、リピートコピー機能を有する画像形成装置やシステムなどに適している。
【符号の説明】
【００４１】
１００  印刷制御部
１０１  操作表示部
１０２  原稿サイズ検知センサ
１０３  スキャナー
１０４  給紙部
１０５  画像処理部
１０６  リピート処理部
１０７  不揮発メモリ
１０８  画像メモリ
１０９  ＨＤＤ
１１０  作像部
【先行技術文献】
【特許文献】
【００４２】
【特許文献１】特許第３４６９６６９号公報
【特許文献２】特許第３９１３２２０号公報
【特許文献３】特開２００８−１４２９６９号公報
【図１】
2011029811.tif 000003
【図２】
2011029811.tif 000004
【図３】
2011029811.tif 000005
【図４】
2011029811.tif 000006
【図５−１】
2011029811.tif 000007
【図５−２】
2011029811.tif 000008
【図６−１】
2011029811.tif 000009
【図６−２】
2011029811.tif 000010
【図７】
2011029811.tif 000011
【図８−１】
2011029811.tif 000012
【図８−２】
2011029811.tif 000013
【図９】
2011029811.tif 000014
【手続補正書】
【提出日】平成21年7月24日(2009.7.24)
【手続補正１】
【補正対象書類名】図面
【補正対象項目名】図１
【補正方法】変更
【補正の内容】
【図１】
2011029811.tif 000015
【手続補正２】
【補正対象書類名】図面
【補正対象項目名】図２
【補正方法】変更
【補正の内容】
【図２】
2011029811.tif 000016
【手続補正３】
【補正対象書類名】図面
【補正対象項目名】図３
【補正方法】変更
【補正の内容】
【図３】
2011029811.tif 000017
【手続補正４】
【補正対象書類名】図面
【補正対象項目名】図４
【補正方法】変更
【補正の内容】
【図４】
2011029811.tif 000018